(57)【要約】【課題】  防波堤等の構築に際し、矢板壁に傷を付けることなく型枠プレートを設置できるようにする。【解決手段】  地面に打設されて立設される矢板壁１の側面に、型枠パネル４の縁部７が近接されて構成される矢板壁１と型枠パネル４との近接配置構造であり、型枠パネル４の縁部７の下面に縁部７端より外方に突出するよう弾性片１０が取り付けられ、弾性片１０が矢板壁１の側面に当接する状態で型枠パネル４の縁部７の近接がなされてなるもの、及び、縁部７が矢板壁１の側面に近接使用される堤防構築用の型枠パネル４において、縁部７の下面に縁部７端より外方に突出するよう弾性片７が取り付けられてなるもの。【選択図】図２
2015117567.tif 000002
【特許請求の範囲】
【請求項１】
地面に打設されて立設される矢板壁の側面に、型枠パネルの縁部が近接されて構成される矢板壁と型枠パネルとの近接配置構造であり、前記型枠パネルの縁部の下面に前記縁部端より外方に突出するよう弾性片が取り付けられ、前記弾性片が前記矢板壁の側面に当接する状態で前記型枠パネルの縁部の近接がなされてなることを特徴とする矢板壁と型枠パネルとの配置構造。
【請求項２】
縁部が矢板壁の側面に近接使用される堤防構築用の型枠パネルにおいて、前記縁部の下面に前記縁部端より外方に突出するよう弾性片が取り付けられなることを特徴とする型枠パネル。
【発明の詳細な説明】
【技術分野】
【０００１】  この発明は、防波堤等の構築に際して用いられる矢板壁と型枠パネルとの配置構造及び堤防構築用の型枠パネルに関する。
【背景技術】
【０００２】  防波堤の構築方法として、図６に示すように、矢板壁１００の上部をコンクリート１０５で覆うことで構築する方法がある。１０１、１０２、１０３のそれぞれは型枠パネルであり、Ａは陸側、Ｂは海側であり、型枠パネル１０１、１０２、１０３それぞれによって囲まれる空間にコンクリート１０５を打設固化することで防波堤が構築される。上記型枠パネル１０３は矢板壁１００側面に対し水平方向に縁部が近接されて設置される。矢板壁１００は複数枚の矢板が横方向に連接されて構成されることで側面が凹凸形態となり、その凹凸形態に沿うように縁部が形成された型枠パネル１０３が、その縁部を矢板壁１００の側面に嵌め合わせるように設置される（図１参照）。
【発明の概要】
【発明が解決しようとする課題】
【０００３】  上記の矢板壁１００は複数の矢板それぞれの側縁が互いに嵌合連結されて形成されるので、その側面の凹凸形態が精度よく所定の形態となっていない場合があり、したがって構築現場での型枠パネル１０３の嵌め合わせがスムーズに行われず、どうしても型枠パネル１０３の縁部が矢板壁１００側面に衝突し、これにより矢板壁１００表面の防錆層に傷が生じてしまう。このように防錆層に傷が生じると錆が発生して矢板壁１００が劣化する。矢板壁１００のこの部分Ｃは、引き潮時等に海面が大きく低下すると海面上に位置して空気に触れるので酸化して劣化しやすく、また、その錆びた部分が目に触れて非常に見栄えが悪いものとなる。【０００４】  この発明は上記の事情に鑑みて行ったもので、防波堤等の構築に際し、矢板壁に傷を付けることなく型枠プレートを設置できるようにすることを目的とする。
【課題を解決するための手段】
【０００５】  第１の発明（請求項１の発明）は、地面に打設されて立設される矢板壁の側面に、型枠パネルの縁部が近接されて構成される矢板壁と型枠パネルとの近接配置構造であり、前記型枠パネルの縁部の下面に前記縁部端より外方に突出するよう弾性片が取り付けられ、前記弾性片が前記矢板壁の側面に当接する状態で前記型枠パネルの縁部の近接がなされてなることを特徴とする矢板壁と型枠パネルとの配置構造を提供する。【０００６】  上記矢板壁と型枠パネルとの配置構造の構造によれば、型枠パネルが移動されて矢板壁の側面に縁部が互いの凹凸形態が嵌合されるようにして近接配置される際に、型枠パネルの縁部端より外方に突出する弾性片のそれぞれが当たることで矢板壁の側面に衝突による傷が発生することがなく、また、衝突による衝撃が緩和されることで矢板壁が位置ずれすることがなく、矢板壁、型枠パネルともにその変形が防止され、さらに、大きな衝突音の発生も回避できる。【０００７】  第２の発明（請求項２の発明）は、縁部が矢板壁の側面に近接使用される堤防構築用の型枠パネルにおいて、前記縁部の下面に前記縁部端より外方に突出するよう弾性片が取り付けられなることを特徴とする型枠パネルを提供する。【０００８】  上記型枠パネルを使用することで、型枠パネルが移動されて矢板壁の側面に縁部が互いの凹凸形態が嵌合されるようにして近接配置される際に、型枠パネルの縁部端より外方に突出する弾性片のそれぞれが当たることで矢板壁の側面に衝突による傷が発生することがなく、また、衝突による衝撃が緩和されることで矢板壁が位置ずれすることがなく、矢板壁、型枠パネルともにその変形が防止され、さらに、大きな衝突音の発生も回避できる。
【発明の効果】
【０００９】  第１と第２の発明によれば、防波堤等の構築に際し、矢板壁に傷を付けることなく型枠プレートを設置できるようになり、矢板壁の劣化が防止されるとともに、矢板壁の見栄えが良好に保たれる。また、衝突による矢板壁の位置ずれ、矢板壁、型枠パネルの変形を防止できるとともに、大きな衝突音の発生も回避できる。
さらに
【図面の簡単な説明】
【００１０】
【図１】  この発明における矢板壁と型枠パネルとの納まりを示す全体斜視図
【図２】  この発明における矢板壁と型枠パネルとの納まりを示す拡大平面図
【図３】  この発明における矢板壁と型枠パネルとの近接状態を示す拡大断面図
【図４】  この発明における型枠パネルの裏面図
【図５】  この発明における固定ネジの平面図
【図６】  防波堤の構築方法の説明略図
【発明を実施するための形態】
【００１１】  図１は矢板壁と型枠パネルとの納まりを示す全体斜視図、図２は同拡大平面図である。１は矢板壁であり、複数枚の矢板２の側縁が互いに嵌合連結されることで一体に構成されている。４は堤防構築用の型枠パネル（背景技術で述べた型枠パネル１０３に相当する）で、鉄製の枠体５の表面にステンレス製のパネル６が溶接により固着されて構成されており、凹凸形態の一方側の縁部７が矢板壁１の側面に近接使用され、その上部にコンクリートの打設空間が形成される。
【００１２】  型枠パネル４の縁部７の裏面側には、図３、図４に示すように、ウレタンゴムよりなる帯状の弾性片１０のそれぞれが取り付けられている。弾性片はその巾が４０ｍｍ、厚さが７ｍｍで、１５ｍｍ程度縁部７端より外方に突出するよう取り付けられている。１２は枠体５を構成する枠材であり、この枠材１２が縁部７の裏面側においては縁部７端より内側に位置して配置され、その枠材１２の側面に鉄製の取り付け部材１５が溶接により固着されている。弾性片１０は縁部７と取り付け部材１５との間に差し入れられ、縁部７上面から螺入される固定ネジ１７が取り付け穴１８に挿通され、取り付け部材１５に固定されることで取り付けられている。
【００１３】  上記のように弾性片１０が取り付けられた型枠パネル４は、図１における矢印Ｘ方向に移動されることで矢板壁１の側面に縁部７が互いの凹凸形態が嵌合されるようにして近接配置されて固定される。その嵌合に際し型枠パネル４は矢板壁１の側面に衝突するが、縁部７端より外方に突出する弾性片１０のそれぞれが当たることで矢板壁１の側面に衝突による傷が発生することがなく、また、衝突による衝撃が緩和されることで矢板壁１が位置ずれすることがなく、矢板壁１、型枠パネル４ともにその変形が防止され、さらに、大きな衝突音の発生も回避できる。なお、弾性片１０それぞれの間において矢板壁１の側面と型枠パネ４の縁部７端との隙間が残るが、この部分にはコンクリートの砂利、玉石が詰まるのでそこからコンクリートが流れ出ることはない。
【００１４】  上記の弾性片１０の取り付けに使用される固定ネジ１７は頭部２０が扁平で、図５に示すように頭部２０の両側にカット部２２を備えているものを使用する。頭部２０が扁平であることで型枠パネル４の離脱後にコンクリート面に大きな凹みが生じることがなく、ドライバー係止部２４にコンクリートが入り固まってドライバーによる離脱が行えない場合に、カット部２２があることでレンチ等を使用して取り外せるようになっている。弾性片１０は型枠パネル４の使用現場が変わる際には取り換え使用されるので、固定ネジ１７の取り外しが容易に行われるように、上記のようにカット部２２を備えている構成が便利となる。
【符号の説明】
【００１５】１    矢板壁
４    型枠パネル
７    縁部
１０  弾性片
【図１】
2015117567.tif 000003
【図２】
2015117567.tif 000004
【図３】
2015117567.tif 000005
【図４】
2015117567.tif 000006
【図５】
2015117567.tif 000007
【図６】
2015117567.tif 000008